(57)【要約】  柔らかい基端部により硬い遠位先端部を組み込んだ縫合糸アンカーを含んでなる縫合糸アンカー組立体。縫合糸アンカーの先端部および本体は、縫合糸アンカーをインサータに接続するために使用されるネジ山付きプラグを介して接続される。縫合糸アンカー組立体は、近位端と、遠位端と、近位端および遠位端の間に延びる長手方向軸と、先端部の長手方向軸を横断して延びるアイレットと、近位端からアイレットの遠位端に近接する領域に延びるネジ山を有するカニューレ挿入部と、を備える先端部を含む。さらに、開放カニューレの遠位端が先端部の近位端を受け入れるように寸法決めされているアンカー本体と、先端部のカニューレ挿入部に係合するように構成されたネジ山付きプラグと、を備えるアンカーを含み、プラグのネジ山と係合可能なネジ山を内側表面に含む外側シャフトと、外側シャフトとは独立して軸方向および回転可能に動くことができる内側シャフトと、を備えるインサータを含む。
2018538026.tif 000002
【特許請求の範囲】
【請求項１】
先端部であって、
近位端と、先細の遠位端と、前記近位端および前記遠位端の間に延びる長手方向軸と、
１つ以上の縫合糸を受け入れるように寸法決めされたアイレットであって、前記先端部の前記長手方向軸を横断して延びるアイレットと、
前記アイレットと連通して前記先端部内に形成されたカニューレ挿入部であって、該カニューレ挿入部の近位端から前記アイレットの遠位端に近接する領域に延びるネジ山を有するカニューレ挿入部と、
を備える先端部と、
前記先端部とは別個に形成された細長いアンカー本体であって、近位端から遠位端まで延びる開放カニューレを含み、前記開放カニューレの前記遠位端が、前記先端部の前記近位端を受け入れるように寸法決めされているアンカー本体と、
前記アンカー本体と前記先端部との両方とは別個に形成されたネジ山付きプラグであって、前記先端部の前記カニューレ挿入部に係合するように構成されたネジ山付きプラグと、
を含むアンカーと、
前記アンカー本体の前記カニューレ挿入部内に受容されるように寸法決めされた外側シャフトであって、前記プラグのネジ山と係合可能なネジ山を内側表面に含む外側シャフトと、
前記外側シャフト内に受容されるように寸法決めされた内側シャフトであって、前記先端部の前記カニューレ挿入部内に前記プラグを下降させるために、前記外側シャフトとは独立して軸方向および回転可能に動くことができる内側シャフトと、
を含むインサータと、
を含んでなることを特徴とする縫合糸アンカー組立体。
【請求項２】
前記先端部は、前記アンカー本体の材料よりも硬質な材料が選択されて形成されていることを特徴とする請求項１に記載の縫合糸アンカー組立体。
【請求項３】
前記先端部は、プラスチック、チタンおよびステンレス鋼のうちの１つから形成されていることを特徴とする請求項１に記載の縫合糸アンカー組立体。
【請求項４】
前記アンカー本体が生体吸収性材料から形成されていることを特徴とする請求項１に記載の縫合糸アンカー組立体。
【請求項５】
前記先端部の前記近位端が前記アンカー本体の前記カニューレ挿入部の遠位端に挿入された時、先端アイレットとアンカー本体アイレットとが整列するように、前記アンカー本体上に横方向の前記アンカー本体アイレットが配置されていることを特徴とする請求項１に記載の縫合糸アンカー組立体。
【請求項６】
前記先端アイレットと前記アンカー本体アイレットとを横切って延びる縫合糸をさらに含んでなることを特徴とする請求項５に記載の縫合糸アンカー組立体。
【請求項７】
前記インサータの前記内側シャフトは、前記プラグへの挿入用に構成されていることを特徴とする請求項１に記載の縫合糸アンカー組立体。
【請求項８】
前記ネジ山付きプラグが、前記インサータの前記外側シャフトのネジ山付きカニューレ挿入部と、前記先端部のネジ山付きカニューレ挿入部と係合するとき、前記アンカー本体は、前記インサータと前記先端部との間で軸方向に閉じ込められることを特徴とする請求項１に記載の縫合糸アンカー組立体。
【請求項９】
前記インサータと前記アンカー本体との間のインターフェースが滑り嵌めであることを特徴とする請求項１に記載の縫合糸アンカー組立体。
【請求項１０】
前記アンカー本体と前記先端部との間のインターフェースが滑り嵌めであることを特徴とする請求項１に記載の縫合糸アンカー組立体。
【請求項１１】
前記プラグは、ポリマー、プラスチックおよび金属のうちの１つから形成されていることを特徴とする請求項１に記載の縫合糸アンカー組立体。
【請求項１２】
前記プラグの直径が約２ｍｍであることを特徴とする請求項１に記載の縫合糸アンカー組立体。
【請求項１３】
前記プラグの長さが約５.２５ｍｍであることを特徴とする請求項１に記載の縫合糸アンカー組立体。
【請求項１４】
前記アンカー本体が、骨内での保持を助ける表面特徴を含むことを特徴とする請求項１に記載の縫合糸アンカー組立体。
【請求項１５】
前記インサータの前記内側シャフトは、丸型近位部と多角形遠位部との間にテーパ部を画定していることを特徴とする請求項１に記載の縫合糸アンカー組立体。
【請求項１６】
前記内側シャフトの前記多角形遠位部は三角形であることを特徴とする請求項１５に記載の縫合糸アンカー組立体。
【請求項１７】
軟組織を骨に固定する方法であって、
ａ）縫合糸アンカー組立体の先端アイレットおよびアンカー本体アイレットに縫合糸を通すステップであって、前記縫合糸アンカー組立体は、
近位端と、遠位端と、前記近位端および前記遠位端の間に延びる長手方向軸と、先端部の前記長手方向軸を横断して延びるアイレットと、前記先端部内に形成されたネジ山付きカニューレ挿入部であって、前記先端部の近位端から前記アイレットの遠位端に延びるネジ山付きカニューレ挿入部と、を備える先端部と、
前記先端部とは別個に形成された細長いアンカー本体であって、近位端から遠位端まで延びる開放カニューレとアンカー本体アイレットとを含むアンカー本体と、
前記アンカー本体と前記先端部との両方とは別個に形成されたネジ山付きプラグであって、前記先端部の前記カニューレ挿入部に係合するように構成されたネジ山付きプラグと、
を含むアンカーを含んでなり、
前記先端部の前記近位端が前記アンカー本体の前記カニューレ挿入部の遠位端に挿入された時、先端アイレットとアンカー本体アイレットとが整列する
ように構成された、縫合糸を通すステップと、
ｂ）前記先端部の前記カニューレ挿入部内で前記プラグを軸方向および回転方向に下降させて、前記プラグの遠位端と前記先端部の前記カニューレ挿入部の遠位端との間に縫合糸を閉じ込めるステップと、
を含むことを特徴とする軟組織を骨に固定する方法。
【請求項１８】
前記先端部の前記カニューレ挿入部内で前記プラグを軸方向および回転方向に下降させるステップは、前記プラグをインサータの一部で軸方向および回転方向に降下させることを含むことを特徴とする請求項１７に記載の方法。
【請求項１９】
ステップａ）の後、前記縫合糸アンカー組立体を骨に完全に収容するステップを更に含むことを特徴とする請求項１７に記載の方法。
【請求項２０】
ステップｂ）の後、前記縫合糸アンカー組立体から前記インサータを取り外すステップを更に含むことを特徴とする請求項１８に記載の方法。
【発明の詳細な説明】
【技術分野】
【０００１】
本願は、縫合糸アンカー組立体に関し、より詳細には、滑り嵌め先端部(slip fit tip)を有する縫合糸アンカー組立体に関する。
【背景技術】
【０００２】
関節鏡検査外科手術は関節の内部または周囲の組織の修復を伴う最小侵襲手術である。肩関節鏡検査では、例えば、一般的な傷害として、裂傷または損傷した軟骨リング或いはは靭帯（肩の不安定性を引き起こす）、裂傷した回旋筋腱板（rotator cuff）、或いは、裂傷または損傷した上腕二頭筋の腱が含まれる。これらの障害のそれぞれは、軟組織（すなわち、靭帯または腱）を骨に再付着させることを必要とする。軟組織の骨への関節鏡固定の現在の方法は、縫合糸アンカーの骨への配置と、縫合糸を組織に通し、外科用結びで結んで組織を骨に固定することによって組織を骨に整復することを含む。
【先行技術文献】
【特許文献】
【０００３】
【特許文献１】本明細書には、先行技術文献は開示されていない。
【発明の概要】
【発明が解決しようとする課題】
【０００４】
縫合糸アンカーの構築において、アンカーが異なる材料で作られることがしばしば望ましい。例えば、より硬い（典型的には金属の）先端部は、アンカーを骨に押し込むために有用である。一方、柔らかい（典型的にはポリマーの）本体は、経時的に身体に再吸収され得る。しかしながら、異なる材料から縫合糸アンカーを構成することは、先端部を本体に接続する際に困難をもたらす。金属先端部をポリマー本体に接続するための現在の方法は、部品のオーバーモールディング(over-molding) またはステー縫合(stay suture)の使用によるものである。しかしながら、これら双方の方法は、縫合糸アンカーを製造するコストを増大させ、外科的処置において信頼性に欠ける可能性がある。
【課題を解決するための手段】
【０００５】
本明細書に記載されているのは、より硬い遠位先端部をより柔らかい近位本体と共に組み込んだ縫合糸アンカーであって、部品のオーバーモールディングまたはステー縫合の使用による接続の必要性はない。有利には、縫合糸アンカーの先端部および本体は、お互いに軸方向に動くこともなく、堅固に連結されることもない。その代わりに、先端部と本体とは、縫合糸アンカーをインサータ(inserter)に接続するためにも役立つネジ山付きプラグを介して接続される。
【０００６】
好都合なことに、そのような単純化された製造方法は、製造コストを低減し、外科手術使用中に高い信頼性をもたらす。
【０００７】
いくつかの例では、縫合糸アンカー組立体は、近位端およびテーパ状の遠位端を含む先端部を有するアンカーと、近位端と遠位端の間に延びる長手軸とを含む。アイレット（小孔）は、先端部の長手方向軸を横切って延び、１つ以上の縫合糸を受けるように寸法決めされる。カニューレ挿入部は、アイレットと連通する先端部内に形成される。カニューレ挿入部は、カニューレ挿入部の近位端部からアイレットの遠位端部の近位領域まで延びるねじ山を有する。アンカーはまた、先端とは別個に形成された細長いアンカー本体を有する。アンカー本体は、近位端から遠位端まで延在する開放カニューレを含み、カニューレの遠位端は、先端部の近位端を受け入れるように寸法決めされる。アンカーは、アンカー本体と先端部の両方とは別に形成されたネジ山付きプラグをさらに含み、プラグは先端部のカニューレに係合するように構成される。縫合糸アンカー組立体はまた、アンカー本体のカニューレ挿入部内に受容されるように寸法決めされた外側シャフトと、外側シャフト内に受容されるように寸法決めされた内側シャフトとを有するインサータを含み、内側シャフトは、外側シャフトとは無関係に軸方向に回転可能である。外側シャフトの内側表面は、プラグのネジ山と係合可能なネジ山を含む。
【０００８】
他の例では、先端部は、アンカー本体の材料よりも硬く選択された材料で作られ、それらは、プラスチック、チタンおよびステンレス鋼のうちの１つであってもよい。アンカー本体は、生体吸収性材料で作られている。先端部の近位端がアンカー本体のカニューレ挿入部の遠位端に挿入されると、先端アイレットとアンカー本体アイレットとが整列するように、横断アンカー本体アイレットがアンカー本体に配置される。インサータの内側シャフトは、プラグへの挿入のために構成される。アンカー本体は、ネジ山付きプラグがインサータの外側シャフトのネジ山付きカニューレ挿入部および先端部のネジ山付きカニューレ挿入部と係合したときに、インサータと先端部との間で軸方向に捕われる。インサータとアンカー本体との間、並びに、アンカー本体と先端部との間のインターフェースが滑り嵌め(slip fit)である。組立体はまた、先端アイレットおよびアンカー本体アイレットを横切って延びる縫合糸を含むことができる。
【０００９】
さらなる例では、プラグは、ポリマー、プラスチックおよび金属のうちの１つで作られる。プラグの直径は約２ｍｍ、プラグの長さは約５.２５ｍｍとして良い。アンカー本体は、骨の保持を助けるための表面特徴を含む。インサータの内側シャフトは、丸型基端部と三角形であり得る多角形の末端部との間のテーパ部を画定する。
【００１０】
本願の軟組織を骨に固定する方法の一例は、ａ）上述のように縫合糸アンカー組立体に縫合糸を通すこと、ｂ）先端部のカニューレ挿入部内でプラグを軸方向および回転方向に下降させることにより、プラグの遠位端と先端部のカニューレ挿入部の遠位端との間に縫合糸を閉じ込めることを含む。先端部のカニューレ挿入部内でプラグを軸方向および回転方向に下降させることは、インサータの一部を用いて、先端部のカニューレ挿入部内でプラグを軸方向および回転方向に下降させることを含む。この方法は、ステップａ）の後に、縫合糸アンカー組立体を骨に完全に収容するステップと、ステップｂ）の後に、縫合糸アンカー組立体からインサータを取り外すステップとをさらに含み得る。
【００１１】
これらおよび他の特徴および利点は、以下の詳細な説明の読解および関連する図面の見直しから明らかになるであろう。前述した一般的な説明および以下に述べる詳細な説明は、単なる説明であって、特許請求される態様を限定するものではないことを理解されたい。
【図面の簡単な説明】
【００１２】
本願の説明は、以下の図面と併せて、詳細な説明を参照することによって、より完全に理解されるであろう。
【００１３】
【図１Ａ】本願の例示的な縫合糸アンカー組立体の分解図である。
【図１Ｂ】図１Ａに示すインサータの詳細図である。
【図２】図１Ａの縫合糸アンカー組立体の組立図である。
【図３Ａ】図１Ａの縫合糸アンカー組立体を使用する方法を示す断面図である。
【図３Ｂ】図１Ａの縫合糸アンカー組立体を使用する方法を示す断面図である。
【図３Ｃ】図１Ａの内側ドライバの丸型部と多角形部との間の遷移領域を示す詳細図である。
【発明を実施するための形態】
【００１４】
縫合糸アンカー組立体の例およびその使用方法について、図面を参照して説明する。
【００１５】
以下の説明において、同様の構成要素は、異なる実施例に示されているかどうかにかかわらず、同じ参照番号が与えられている。例示を明確かつ簡潔に示すために、図面は必ずしも一定の縮尺でなくてもよく、ある特徴は幾分概略的な形で示されてもよい。１つの例に関して説明され且つ／又は図示されている特徴は、１つ又は複数の他の例において及び／又は他の例の特徴と組み合わせ或いはその代わりに、同じ方法又は類似の方法で使用されてもよい。
【００１６】
含む、包含する、及び／又はそれぞれの複数形態は、オープンエンドで、列挙された部分を含み、列挙されていない追加部分を含むことができる。そして／または、オープンエンドで、列挙された部分の１つ以上と、列挙された部分の組み合わせとを含む。
【００１７】
図１Ａを参照すると、本願の縫合糸アンカー組立体１００の一例が示されている。縫合糸アンカー組立体１００は、一般に、アンカー１０２およびインサータ１０４を含む。アンカー１０２は、先端部１０６と、先端部１０６とは別に形成された細長いアンカー本体１０８と、中空のネジ山付きプラグ１１０とをさらに含む。後述するように、プラグ１１０は、組立てられると、先端部１０６をアンカー本体１０８に接続する。
【００１８】
先端部１０６は、略円筒状の基端部１１１とテーパ状末端部１１３とを有する。テーパ末端部１１３の最も広い寸法は、円筒状基端部１１１の外周よりも大きくなるように選択される。テーパ状末端部１１３の最先端は、骨への挿入を助けるために指し示すことができる。先端部１０６は、アンカー本体１０８の材料よりも硬くなるように選択されたプラスチック、チタンまたはステンレス鋼のような材料からなる。先端アイレット１１２は、先端部１０６の円筒状基端部１１１を横切って延び、縫合糸などの１つまたは複数の可撓性要素を受容できる寸法に形成されている。先端部１０６はまた、先端アイレット１１２と連通するカニューレ挿入部１１４を含み、カニューレ挿入部１１４は、カニューレ挿入部１１４の近位端から先端アイレット１１２の遠位端に近接する領域に延びる雌ネジ山を有する。
【００１９】
プラグ１１０は、アンカー本体１０８および先端部１０６の両方から分離して形成される。プラグ１１０は、先端部１０６のネジ山付きカニューレ挿入部１１４に係合する大きさである。プラグ１１０の内部は、後述するように、インサータ１０４の一部分を受容するように構成されている。プラグ１１０の直径は約２ｍｍで、長さは約５.２５ｍｍである得る。プラグ１１０は、ポリマー、プラスチックまたは金属などの任意の適切な材料から形成することができる。
【００２０】
図１Ａに示すように、アンカー本体１０８は、アンカー本体１０８の長さに延びる開放カニューレ１１６を含んでなる。カニューレ１１６の遠位端は、先端部１０６の円筒状基端部１１１を受容するように寸法決めされている。アンカー本体１０８の遠位端は、１つまたは複数の縫合糸を受容するように寸法決めされた横方向のアンカー本体アイレット１１８を含む。アンカー本体アイレット１１８は、後述するように、先端部１０６の円筒状基端部１１１がアンカー本体１０８に挿入されると、先端アイレット１１２とアンカー本体アイレット１１８とが整列するようなアンカー本体１０８の位置に配置される。図１Ａでは、アンカー本体１０８の表面は、骨内の保持を助けるための複数の長手方向リブ１０９を含むものとして示されている。しかし、本願によって、螺旋リブまたは棘のような他の表面特徴も考えられ得る。
【００２１】
アンカー本体１０８は、金属、生体吸収性または生体複合材料の任意の組み合わせから作製することができる。例えば、アンカー本体１０８は、部分的または全体的に、ポリ（乳酸−グリコール酸）酸（PLGA）、β-リン酸三カルシウム（β-TCP）および硫酸カルシウム、ポリＬ乳酸−ヒドロキシアパタイト（PLLA-HA）、ポリＤラクチド（PDLA）、ポリエーテルエーテルケトン（PEEK）などのポリマー、またはその変異体である。PLGA、β-TCP、および硫酸カルシウムの組み合わせから作られた生体組成物の例は、身体によって吸収され、自然治癒に有益である。PLGA、β-TCP、および硫酸カルシウムの製剤例は、米国特許第8,545,866号に記載されており、その全体がこの参照により本明細書に組み込まれるものとする。ポリグリコール酸（PGA）とポリトリメチレンカーボネート（TMC）とのコーポリマーは、生体吸収性材料の別の例である。アンカー本体１０８をセットし、組織間移植が起こる間に組織移植片を適所に保持するのに必要な強度を提供することができる他の一般的に使用される材料も、本願によって想定されるものとする。
【００２２】
図１Ａに示すように、縫合糸アンカー組立体１００のインサータ１０４は、ハンドルから延びる中空の外側シャフト１２０を有するハンドル（図示せず）を含む。内側シャフト１２２は外側シャフト１２０内に配置され、ノブ（図示せず）を回すことで、内側シャフト１２２が外側シャフト１２０とは無関係に軸方向および回転方向の両方に移動できるように、ノブのようなハンドルの回転部材に取り付けられている。外側シャフト１２０は、近位シェルフ部１２８および遠位挿入部１２９を含み、その目的は以下でさらに説明される。近位シェルフ部１２８の直径は、遠位挿入部１２９の直径より大きくなるように選択され、遠位挿入部１２９は、アンカー本体１０８のカニューレ１１６内に受容されるように寸法決めされている。
【００２３】
図１Ｂは、外側シャフト１２０の詳細図を示している。ここでは、外側シャフト１２０のカニューレ挿入部１２４の最先端部は非ネジだが、内側部分はネジ山を含むことが理解される。後述するように、このネジ山はプラグ１１０のネジ山と係合可能である。
【００２４】
図２は、図１の縫合糸アンカー組立体１００の組立図を示す。図２では、アンカー本体１０８は、インサータ１０４と先端部１０６との間で軸方向に捕われていることが判る。インサータ１０４とアンカー本体１０８との間のインターフェースは、アンカー本体１０８と先端部１０６との間のインターフェースのように、滑り嵌めとして示されている。しかしながら、アンカー本体１０８と先端部１０６との間のインターフェースは、プレス（干渉）嵌合であってもよいことが、本願では想定されている。有利には、この構成は、アンカー本体１０８と先端部１０６とが互いに強固に接続される必要はなく、アンカー本体１０８と先端部１０６との間の軸方向移動を制限している。さらに、先端アイレット１１２とアンカー本体アイレット１１８との両方が整列しているので、縫合糸または他の適切な可撓性材料を縫合糸アンカー組立体１００に容易に装填することができる。
【００２５】
また、図３Ａ−Ｂは、図１の縫合糸アンカー組立体１００の使用方法を示す。いくつかの例では、縫合糸アンカー組立体１００は、肩の不安定（labral）修復のために使用され得る。しかしながら、本願によって、縫合糸アンカー組立体１００は、他の種類の関節鏡手術外科修復のために適合されるか、または評価され得ることも想定される。
【００２６】
図３Ａは、図２の組み立てられた縫合糸アンカー組立体１００の断面を示す。先端部１０６とインサータ１０４とは、プラグ１１０の雄ネジ山を介して互いに連結されており、先端部１０６のカニューレ挿入部の雌ネジ山１１４と、インサータ１０４の外側シャフトカニューレ挿入部の雌ネジ山１２４と、双方に係合している。インサータ１０４の挿入部１２９は、先端部１０６の円筒状基端部１１１に当接するまで、アンカー本体１０８の開放カニューレ１１６に挿入されるように示されている。先端部１０６は、テーパ状末端部１１３の最も幅広い部分で先端シェルフ１２６を画定する。したがって、アンカー本体１０８は、先端シェルフ１２６とインサータ１０４のシェルフ部１２８との間で軸方向に閉じ込められている。
【００２７】
さらに図３Ａに示すように、アンカー本体１０８は、先端部１０６に向かって僅かに先細（テーパ状）になっている円筒体を有するものとして示されているが、先端シェルフ１２６とインサータのシェルフ部１２８との間でアンカー本体１０８をくさび留めできるように選択された他の形状も取り得る。図３Ａでは、プラグ１１０に挿入された内側ドライバ１２２は、後述するように、テーパ部１３０を画定していることが理解される。縫合糸アンカー組立体１００に１つ以上の縫合糸１０が装填された後、縫合糸は全体的に緊張され、縫合糸アンカー組立体１００は骨の中に完全に収容される。
【００２８】
図３Ｂに示すように、縫合糸アンカー組立体１００が骨に完全に埋め込まれた状態で、内側ドライバ１２２がハンドル（図示せず）によって作動されて、プラグ１１０を先端部１０６のカニューレ挿入部１１４内で軸方向および回転方向に下降させ、プラグ１１０の遠位端とカニューレ挿入部１１４の遠位端との間で閉じ込める。有利なことに、これは、縫合糸アンカー組立体１００内の強化された縫合糸保持力をもたらし、縫合糸１０を骨内に維持する。さらに、縫合糸アンカー組立体１００を取り囲む骨ならびに縫合糸張力は、先端部１０６をアンカー本体１０８の遠位端の所定の位置に保持するように作用する。プラグ１１０は、先端部１０６のカニューレ挿入部１１４内に完全にネジ込まれているので、プラグ１１０と縫合糸１０を保持する先端部１０６とをアンカー本体１０８に残して、インサータ１０４を縫合糸アンカー組立体１００から外すことができる。
【００２９】
図３Ｃは、内側シャフト１２２のテーパ部１３０の詳細図である。図３Ｃに示すように、テーパ部１３０は、プラグ１１０に挿入される丸型基端部１３２から三角遠位部１３４に移行する部分に生じる。本願に基づけば、遠位部１３４の形状を三角形以外の多角形のいずれかの形状に形成し得ることが想定される。したがって、プラグ１１０の内部は、内部シャフト１２２の遠位部１３４と一致する構成を有する。多角形による構成は、円筒形の駆動よりも高い正味トルク能力をもたらすことに対し有利である。
【００３０】
図示されていない縫合糸アンカー組立体１００の他の例では、プラグ１１０が先端部１０６およびインサータ１０４を、光干渉嵌め(light interference fit)のような非ネジ結合で接続することができると考えられる。この場合、プラグ１１０、先端部１０６のカニューレ挿入部１１４、およびインサータ１０４の内側シャフトカニューレ挿入部１２４は、円筒形状に限定されず、例えば正方形、六角形または他の多角形であってもよい。そのような構成は、縫合糸アンカー組立体１００の小型化において有用であろう。
【００３１】
本願は様々な実施例に関して説明したが、添付の特許請求の範囲に規定された精神および範囲から逸脱することなく、様々な他の実施例が可能であることは、当業者には明らかであろう。
【符号の説明】
【００３２】
１００  縫合糸アンカー組立体
１０２  アンカー
１０４  インサータ
１０６  先端部
１０８  アンカー本体
１０９  長手方向リブ
１１０  プラグ
１１１  基端部
１１２  先端アイレット
１１３  末端部
１１４  カニューレ挿入部
１１６  カニューレ
１１８  アンカー本体アイレット
１２０  外側シャフト
１２２  内側シャフト、内側ドライバ
１２６  先端シェルフ
１２８  シェルフ部
１２９  遠位挿入部
１３０  テーパ部
１３２  丸型基端部
１３４  三角遠位部
【図１Ａ】
2018538026.tif 000003
【図１Ｂ】
2018538026.tif 000004
【図２】
2018538026.tif 000005
【図３Ａ】
2018538026.tif 000006
【図３Ｂ】
2018538026.tif 000007
【図３Ｃ】
2018538026.tif 000008
【国際調査報告】
2018538026.tif 000009
2018538026.tif 000010
2018538026.tif 000011
2018538026.tif 000012